(57)【特許請求の範囲】
【請求項１】
人工脳脊髄液を洗浄液に使用して脳を洗浄するシステムであって、
洗浄液の入った可撓性容器と、
前記可撓性容器に接続されるチューブと、前記チューブの途中に設けられたハンドポンプと、洗浄液を発射する洗浄液発射器とを備え、
前記洗浄液発射器は、前記チューブの先に設けられたノズルと、該ノズルを保持するホルダーとを有し、
前記ハンドポンプは、可撓性筒と、その可撓性筒の両端にそれぞれ挿入されるチューブ挿入口付きの２つのキャップとからなり、前記各キャップは、前記可撓性筒から最も遠い位置にある第１のくびれ部と、前記可撓性筒から次に遠い位置にある第２のくびれ部と、前記可撓性筒から最も近い位置にある第３のくびれ部と、前記第１のくびれ部と前記第２のくびれ部との間、又は前記第２のくびれ部と前記第３のくびれ部との間のいずれかに配置されるボールとを有し、
前記第１のくびれ部及び前記第３のくびれ部は、前記ボールが当たっても洗浄液が通過可能な構造になっており、
前記第２のくびれ部は、前記ボールが当たると洗浄液が通過できない構造になっていることを特徴とする洗浄液送給システム。
【請求項２】
前記第１のくびれ部及び前記第３のくびれ部の、前記ボールが当たる位置には、突起が内向し、洗浄液はこの突起と前記ボールとの間を通過可能になっている請求項１記載の洗浄液送給システム。
【請求項３】
前記第２のくびれ部の、前記ボールが当たる位置は、円周状になっており、洗浄液はこの円周と前記ボールとの間を通過できない請求項１又は請求項２記載の洗浄液送給システム。
【請求項４】
前記可撓性容器は、密閉型可撓性容器である請求項１から請求項３のいずれか１項に記載の洗浄液送給システム。
【請求項５】
前記ホルダーには、流量調節つまみが設けられている請求項１記載の洗浄液送給システム。
【請求項６】
前記ホルダーの断面は円形又は半円形である請求項１記載の洗浄液送給システム。
【請求項７】
前記ノズルの角度が調節可能である請求項１記載の洗浄液送給システム。
【発明の詳細な説明】
【０００１】
【発明の属する技術分野】
本発明は、人工脳脊髄液を洗浄液として使用して脳を洗浄する洗浄液送給システムに関するものである。
【０００２】
【従来の技術】
脳出血のためにできた血腫を排出する手術を行うときに、術中、人工脳脊髄液（ＣＳＦ）を洗浄液として用いている。
通常、人工脳脊髄液をバケツにいれて、スポイトで吸い出して、患部の洗浄を行っている。
【０００３】
【発明が解決しようとする課題】
ところが、人工脳脊髄液には二酸化炭素ＣＯ2が溶解しているため、長時間使用すると、人工脳脊髄液に溶解していたＣＯ2が空気中に気散し、人工脳脊髄液のｐＨが上昇し、生理的ｐＨを上回ることとなり、好ましくない結果を与える。
そこで、人工脳脊髄液を、空気に触れさせないようにすれば、ｐＨの上昇もなく、好ましい。
【０００４】
すなわち、本発明は、人工脳脊髄液をｐＨ変化のない安定した状態で使用することのできる洗浄液送給システム及び洗浄液発射器を実現することを目的とする。
【０００５】
【課題を解決するための手段】
本発明の洗浄液送給システムは、洗浄液の入った可撓性容器と、前記可撓性容器に接続されるチューブと、前記チューブの途中に設けられたハンドポンプと、洗浄液を発射する洗浄液発射器とを備え、前記洗浄液発射器は、前記チューブの先に設けられたノズルと、該ノズルを保持するホルダーとを有し、前記ハンドポンプは、可撓性筒と、その可撓性筒の両端にそれぞれ挿入されるチューブ挿入口付きの２つのキャップとからなり、前記各キャップは、前記可撓性筒から最も遠い位置にある第１のくびれ部と、前記可撓性筒から次に遠い位置にある第２のくびれ部と、前記可撓性筒から最も近い位置にある第３のくびれ部と、前記第１のくびれ部と前記第２のくびれ部との間、又は前記第２のくびれ部と前記第３のくびれ部との間のいずれかに配置されるボールとを有し、前記第１のくびれ部及び前記第３のくびれ部は、前記ボールが当たっても洗浄液が通過可能な構造になっており、前記第２のくびれ部は、前記ボールが当たると洗浄液が通過できない構造になっているものである（請求項１）。
【０００６】
前記の構成によれば、可撓性容器に洗浄液を収容しているので、洗浄液は、洗浄液発射器から発射されるまで外気に触れることはない。従って、洗浄液のｐＨを上昇させることなく、使用することができる。また、前記ハンドポンプは、手で押圧を繰り返すことにより、多量の洗浄液を送って患部を洗浄することができる。
その構造を具体的にあげると、前記第１のくびれ部及び前記第３のくびれ部の、前記ボールが当たる位置には、突起が内向し、洗浄液はこの突起と前記ボールとの間を通過可能になっている（請求項２）。
また、前記第２のくびれ部の、前記ボールが当たる位置は、円周状になっており、洗浄液はこの円周と前記ボールとの間を通過できなくなっている（請求項３）。
【０００７】
前記可撓性容器は、密閉型可撓性容器であることが好ましい（請求項４）。
前記洗浄液発射器のホルダーに、流量調節つまみが設けられていれば（請求項５）、使用者は、ホルダーを持ちながら流量を調節することができる。前記ホルダーの断面が円形又は半円形であれば（請求項６）、ホルダーを持ちやすくなる。前記ノズルの角度が調節可能であれば（請求項７）、任意の方向に洗浄液を発射できるので、使い勝手がよくなる。
【０００９】
【発明の実施の形態】
以下、本発明の実施の形態を、添付図面を参照しながら詳細に説明する。
図１は、脳室洗浄するための洗浄液送給システムを示す全体構成図である。
洗浄液送給システムは、洗浄液の入った密閉型可撓性容器４と、密閉型可撓性容器４の口部に突き刺す中空針を含む容器連結部５と、容器連結部５から洗浄液発射器１まで通ずるチューブ３と、チューブ３の途中に設けられたハンドポンプ２と、洗浄液発射器１とを有するものである。
【００１０】
図２は、前記洗浄液発射器１を示す図であり、(a)は平面図、(b)は正面断面図、(c)は横断面図である。
洗浄液発射器１は、流量調節つまみ１２を備えたホルダー１１と、洗浄液を発射するノズル１４とを有している。ホルダー１１の洗浄液流入口には、チューブ３を接続するためのネジ式連結具１６が備えられ、これによりチューブ３をホルダー１１の内部チューブ３１に接続している。ホルダー１１の洗浄液流入口と流出口には、ノズル１４を接続するためのネジ式連結具１８が備えられている。
【００１１】
ホルダー１１は、断面四角形の中空筒であって、先が４５度ほど曲がっている。この中空部に、前記内部チューブ３１が挿入されている。ホルダー１１の途中部には、断面積がテーパ状に狭くなっている部分（横断面図(c)参照）１１ａがあり、ここに、前記流量調節つまみ１２が設けられている。流量調節つまみ１２には、回転自在なローラ１３が取り付けられており、流量調節つまみ１２の前後移動に伴って、ローラ１３も前後移動し、内部チューブ３１を押圧し、流量を調節できるようになっている。
【００１２】
前記ホルダー１１、流量調節つまみ１２、ローラ１３の材質は、ポリエチレン、ポリプロピレンなどのポリオレフィンが好適であるが、これに限定されるものではない。前記ノズル１４の材質として、熱可塑性エラストマー(A)、ポリオレフィン(B)、またはＡ，Ｂの混合物が好適であるが、これに限定されるものではない。連結具１６，１８には、ポリカーボネートが好適であるが、これに限定されるものではない。チューブ３，内部チューブ３１には軟質塩化ビニル、エチレン−酢酸ビニル共重合体(EVA)などの熱可塑性樹脂、シリコーンゴムなどが使用できる。
【００１３】
図３は、ハンドポンプ２の縦断面図である。ハンドポンプ２は、円筒状の可撓性チューブ２０と、その両端面に挿入されるチューブ挿入口付きのキャップ２１、２２とからなる。
いずれのキャップ２１、２２も同一形状を有しているので、以下、キャップ２２について説明する。キャップ２２の中央にチューブ挿入口２７が形成されここに３つのくびれ部２３，２４，２５が設けられている。
【００１４】
くびれ部２３の断面形状は、図４に示すとおり、３つの突起２３ａが内向しているだけであり、ボール２９が当たっても、洗浄液は、突起２３ａの間を透過可能になっている。
くびれ部２４の断面形状は、図５に示すとおり、小さな直径の円である。従って、ボール２９が当たれば、洗浄液の通過はできなくなる。
くびれ部２５の断面形状は、図６に示すとおり、３つの突起２５ａが内向している。ボール２９が当たっても、洗浄液は、突起２５ａの間を透過可能になっている。
【００１５】
ハンドポンプ２の入口側のキャップ２１は、ボール２８がくびれ部２４，２５の間に配置されているので、ハンドポンプ２に入ってきた洗浄液を通し、洗浄液の逆流を阻止している。
ハンドポンプ２の出口側のキャップ２２は、ボール２９がくびれ部２３，２４の間に配置されているので、ハンドポンプ２から出ていく洗浄液を通し、その逆流を阻止している。
【００１６】
前記可撓性チューブ２０の材質は、軟質塩化ビニル、エチレン−酢酸ビニル共重合体(EVA)などの熱可塑性樹脂が好適である。
図７，図８，図９は、ハンドポンプ２の動作説明図である。
可撓性チューブ２０の中に洗浄液が満たされた状態（図７参照）で、可撓性チューブ２０を押圧すると（図８参照）、前述したように、洗浄液は、出口側キャップ２２のチューブ挿入口２７を通過して、洗浄液発射器１に入っていく。このとき、入口側キャップ２１のチューブ挿入口２６は、洗浄液の逆流を阻止する。
【００１７】
可撓性チューブ２０の押圧をやめると（図９参照）、可撓性チューブ２０の復元力により、洗浄液は負圧になり、入口側キャップ２１のチューブ挿入口２６が開いて、密閉型可撓性容器４から洗浄液を吸い込む。このとき、出口側キャップ２２のチューブ挿入口２７は塞がれるので、洗浄液発射器１からの洗浄液の逆流を阻止することができる。
以上の洗浄液送給システムの全体動作を説明する。
【００１８】
洗浄液の入った密閉型可撓性容器４を高所に設置し、容器連結部５を連結すると、洗浄液は自然落下して、ハンドポンプ２及び洗浄液発射器１の中が洗浄液で満たされる。急速洗浄等する場合は、流量調節つまみ１２により流量を最大としてもなお不十分な場合があり、このときは、ハンドポンプ２の圧迫を繰り返すことにより、洗浄液の流速を増すことができる。
手術中、前記洗浄液発射器１を患部に向けて、ハンドポンプ２を圧迫すれば、ハンドポンプ２の中の洗浄液を送り出し、洗浄液発射器１の先から、患部にフラッシュすることができる。ハンドポンプ２が自然復元すると、密閉型可撓性容器４から洗浄液を吸い出して、ハンドポンプ２の中に再び、溜めておくことができる。
【００１９】
洗浄液発射器１から発射される洗浄液の流量は、流量調節つまみ１２を前後に動かせば調節できる。
以上で、本発明の実施の形態を説明したが、本発明の実施は、前記の形態に限定されるものではない。
例えば、ホルダー１１の断面形状は、四角形でなくてもよい。図１０は、断面が半円形のホルダーの、図２のＡ−Ａ断面図である。断面が円形又は半円形であれば、手で持ちやすいという利点がある。
【００２０】
また、ホルダー１１の先が４５度ほど曲がっていたが、４５度以外の角度でもよく、曲がりのない直線形状であってもよい。また、角度可変型でもよい。例えば、ホルダー１１の先を蛇腹形状にしたり、ヒンジを形成すれば、角度可変とすることができる。
【００２１】
【発明の効果】
以上のように本発明の洗浄液送給システムによれば、可撓性容器に洗浄液を収容しているので、使用中、洗浄液のｐＨの上昇を最小限にすることができ。したがって、手術中、良好な洗浄効果を維持することができる。また、多量の洗浄液を送って患部を洗浄することができる。
【図面の簡単な説明】
【図１】脳室洗浄するための洗浄液送給システムを示す全体構成図である。
【図２】洗浄液発射器１を示す図であり、(a)は平面図、(b)は正面断面図、(c)は横断面図である。
【図３】ハンドポンプ２の縦断面図である。
【図４】ハンドポンプ２のくびれ部２３の断面図である。
【図５】ハンドポンプ２のくびれ部２４の断面図である。
【図６】ハンドポンプ２のくびれ部２５の断面図である。
【図７】可撓性チューブ２０の中に洗浄液が満たされた状態を示す図である。
【図８】可撓性チューブ２０を押圧した状態を示す図である。
【図９】可撓性チューブ２０の復元状態を示す図である。
【図１０】ホルダー１１の断面形状図である。
【符号の説明】
１  洗浄液発射器
２  ハンドポンプ
３  チューブ
４  密閉型可撓性容器
５  容器連結部
１１  ホルダー
１２  流量調節つまみ
１３  ローラ
１４  ノズル
２１，２２  キャップ２７
２６，２７  チューブ挿入口
２８，２９  ボール
【図１】
0004240755.tif 000002
【図２】
0004240755.tif 000003
【図３】
0004240755.tif 000004
【図４】
0004240755.tif 000005
【図５】
0004240755.tif 000006
【図６】
0004240755.tif 000007
【図７】
0004240755.tif 000008
【図８】
0004240755.tif 000009
【図９】
0004240755.tif 000010
【図１０】
0004240755.tif 000011